(57)【要約】【課題】  時報を発生する手段がオプションとして合理的に設けられた時計装置を提供すること。【解決手段】  駆動機構２００の機械的構造を視覚的に露呈してなる時計装置において、駆動機構は、所定の構成部品を第１地板４１０及び第２地板４２０に配置してなるものであって、文字板３００と第１地板との間には、日ノ裏車２３０と、日ノ裏車２３０に噛合された針合せカナ２４０とを備え、針合せカナは、第１地板及び第２地板を貫通する回転軸部２４１を備え、第２地板の背部に突出した回転軸部の端部には、偏心カム２４３を設けた摘み部材２４２を装着し、撞木５２０は、衝打部５２１を支える棒体５２２と、棒体の基端部を正逆回転可能に支持する枢支部５２３と、棒体の基端部に固定された槓杆部５２４と、付勢手段５２５とを備え、偏心カムが槓杆部を操作することにより、針合せカナの回転に伴い撞木が揺動して発音体が叩かれるようにした。【選択図】図１
2011179829.tif 000002
【特許請求の範囲】
【請求項１】
指針を駆動する駆動機構の機械的構造を視覚的に露呈してなる時計装置において、
文字板と、前記文字板の背部に間隔を空けて設けられた第１地板と、前記第１地板の背部に間隔を空けて設けられた第２地板と、前記第２地板の上部に設けられた発音体と、前記発音体を叩く撞木とを備え、
前記駆動機構は、所定の構成部品を前記第１地板及び前記第２地板に配置してなるものであって、前記文字板と前記第１地板との間には、日ノ裏車と、前記日ノ裏車に噛合された針合せカナとを備え、
前記針合せカナは、前記第１地板及び前記第２地板を貫通する回転軸部を備え、
前記第２地板の背部に突出した前記回転軸部の端部には、偏心カムを設けた摘み部材を装着し、
前記偏心カムは、前記針合せカナと同期回転し、
前記撞木は、前記第２地板の背部において揺動するものであり、前記発音体に衝突する衝打部と、前記衝打部を支える棒体と、前記棒体の基端部を正逆回転可能に支持する枢支部と、前記棒体の基端部に固定された槓杆部と、前記衝打部を前記発音体に向って付勢する付勢手段とを備え、
前記偏心カムが前記槓杆部を操作することにより、前記針合せカナの回転に伴い前記撞木が揺動して前記発音体が叩かれるようにしたことを特徴とする時計装置。
【請求項２】
前記付勢手段は、前記槓杆部に板ばねを設けるとともに、前記第２地板側に前記板ばねの位置を規制するボスを設けてなることを特徴とする請求項１記載の時計装置。
【発明の詳細な説明】
【技術分野】
【０００１】
本発明は、指針を駆動する駆動機構の機械的構造を視覚的に露呈してなる時計装置に関する。
【背景技術】
【０００２】
一般に、時計の機械的構造を視覚的に露呈することは、時計を装飾する方法として有効である。例えば特許文献１には、より面白い動作を得るべく工夫が施された時計が開示されている。
【先行技術文献】
【特許文献】
【０００３】
【特許文献１】特許第３７３７６６１号公報
【発明の概要】
【発明が解決しようとする課題】
【０００４】
さて、この種の時計は、機械的構造を稠密化することにより、高性能且つ機能的な印象を与えるものとなる。また、時計の機能としては、指針を駆動する基本構成に加えて、時報を発生する手段を設けることも考えられる。
【０００５】
但し、その基本構成のみを利用して別途時計を設計する場合もあることを想定すると、時報を発生する手段は、任意の付加的要素、つまりオプションとして必要に応じて設けることが望ましいという事情がある。基本構成の構成部品とオプションの構成部品が複雑に入り組んだレイアウトは不利である。稠密化が損なわれることにもなる。
【０００６】
つまるところ、時報を発生する手段をオプションとして設ける場合は、視覚的効果とともに汎用性や量産性といった製造上の問題を踏まえつつ各構成部品の配置構成を十分に考慮する必要がある。具体的には、指針を駆動する基本構成のみからなる優れたデザインのユニットを設計し、更にそのユニットに対して時報を発生する手段を合理的に設けることができるように構成するとよい。
【０００７】
本発明は、かかる事情に鑑みてなされたものであり、その目的は、時報を発生する手段がオプションとして合理的に設けられた時計装置を提供することである。
【課題を解決するための手段】
【０００８】
本願第１請求項に記載した発明は、指針を駆動する駆動機構の機械的構造を視覚的に露呈してなる時計装置において、文字板と、前記文字板の背部に間隔を空けて設けられた第１地板と、前記第１地板の背部に間隔を空けて設けられた第２地板と、前記第２地板の上部に設けられた発音体と、前記発音体を叩く撞木とを備え、前記駆動機構は、所定の構成部品を前記第１地板及び前記第２地板に配置してなるものであって、前記文字板と前記第１地板との間には、日ノ裏車と、前記日ノ裏車に噛合された針合せカナとを備え、前記針合せカナは、前記第１地板及び前記第２地板を貫通する回転軸部を備え、前記第２地板の背部に突出した前記回転軸部の端部には、偏心カムを設けた摘み部材を装着し、前記偏心カムは、前記針合せカナと同期回転し、前記撞木は、前記第２地板の背部において揺動するものであり、前記発音体に衝突する衝打部と、前記衝打部を支える棒体と、前記棒体の基端部を正逆回転可能に支持する枢支部と、前記棒体の基端部に固定された槓杆部と、前記衝打部を前記発音体に向って付勢する付勢手段とを備え、前記偏心カムが前記槓杆部を操作することにより、前記針合せカナの回転に伴い前記撞木が揺動して前記発音体が叩かれるようにした構成の時計装置である。
【０００９】
本願第２請求項に記載した発明は、請求項１において、前記付勢手段は、前記槓杆部に板ばねを設けるとともに、前記第２地板側に前記板ばねの位置を規制するボスを設けてなる構成の時計装置である。
【発明の効果】
【００１０】
本発明によれば、時報を発生する手段がオプションとして合理的に設けられた時計装置を得ることができる。
【図面の簡単な説明】
【００１１】
【図１】本発明の実施例に係り、時計装置を示す正面説明図である。
【図２】本発明の実施例に係り、時計装置の要部を示す側面説明図である。
【図３】本発明の実施例に係り、（ａ）は第１補助地板を示す背面説明図、（ｂ）は第２補助地板を示す背面説明図である。
【図４】本発明の実施例に係り、時計装置の要部を示す下面説明図である。
【図５】本発明の実施例に係り、撞木の動作（撞木が所定の停止位置に在る状態）を示す背面説明図である。
【図６】本発明の実施例に係り、撞木の動作（撞木が偏心カムによって付勢手段の付勢方向とは反対の方向に押された状態）を示す背面説明図である。
【発明を実施するための形態】
【００１２】
以下に、本発明の実施例を図面に基づいて説明する。図１及び図６に示す時計装置１は、指針を駆動する駆動機構２００の機械的構造を視覚的に露呈してなる置き時計である。指針としては、時針１１０及び分針１２０が設けられている。
【００１３】
この時計装置１は、円形リングを呈する文字板３００と、文字板３００の背部に間隔を空けて設けられた第１地板４１０と、第１地板４１０の背部に間隔を空けて設けられた第２地板４２０と、第２地板４２０の上部に設けられた発音体５１０と、発音体５１０を叩く撞木５２０とを備えている。発音体５１０及び撞木５２０が時報を発生する手段となっている。
【００１４】
本例の駆動機構２００は、モータ（図示は省略）の動力にて時針１１０を支持する時針パイプ２１０、及び分針１２０を支持する分針パイプ２２０をそれぞれ所定の周期で回転駆動する歯車減速機構である。この駆動機構２００は、所定の構成部品を第１地板４１０及び第２地板４２０に配置してなるものであって、文字板３００と第１地板４１０との間には、日ノ裏車２３０と、日ノ裏車２３０に噛合された針合せカナ２４０とを備えている。
【００１５】
針合せカナ２４０は、第１地板４１０及び第２地板４２０を貫通する回転軸部２４１を備え、第２地板４２０の背部に突出した回転軸部２４１の端部には、偏心カム２４３を設けた摘み部材２４２を装着している。図例した摘み部材２４２は、イモねじにて回転軸部２４１にねじ止めして固定されている。偏心カム２４３は、針合せカナ２４０と同期回転する。指針１１０，１２０の位置は、使用者が摘み部材２４２を操作することによって修正することが可能となっている。
【００１６】
第１地板４１０及び第２地板４２０は、所定の形状を呈する一対のプレートであり、平行に向かい合う状態でスペーサを介して互いにねじ止めにより固定されるとともに、台座６００の上部に垂直に設けられている。尚、台座６００は、モータの電源となる電池を収納する電池ボックスとなっている。
【００１７】
本例の場合、第２地板４２０の背面には、それぞれ所定の形状を呈する第１補助地板４３０及び第２補助地板４４０が設けられている。第１補助地板４３０は、第２地板４２０に対し、その背面の要所に密着する状態でねじ止めされている。第２補助地板４４０は、第１補助地板４３０の背部に間隔を空けて設けられている。より詳細には、第１補助地板４３０と平行に向い合う状態でスペーサを介してねじ止めにより固定されている。
【００１８】
第１補助地板４３０には、針合せカナ２４０の回転軸部２４１を貫通する孔部４３１が設けられている。この孔部４３１には、回転軸部２４１のアガキ量を規制するための座４３２が装着されている。また、第２補助地板４４０には、摘み部材２４２を露出する開放部４４１が設けられている。図例した開放部４４１は、第２補助地板４４０の縁部を凹状に成形してなる部位となっている。孔部であってもよい。
【００１９】
撞木５２０は、第２地板４２０の背部において揺動するものであり、発音体５１０に衝突する衝打部５２１と、衝打部５２１を支える棒体５２２と、棒体５２２の基端部を正逆回転可能に支持する枢支部５２３と、棒体５２２の基端部に固定された槓杆部５２４と、衝打部５２１を発音体５１０に向って付勢する付勢手段５２５とを備えている。本例の場合、付勢手段５２５は、槓杆部５２４に板ばね５２５ａを設けるとともに、第２地板４２０側に板ばね５２５ａの位置を規制するボス５２５ｂを設けてなるものである。そして、偏心カム２４３が槓杆部５２４を操作することにより、針合せカナ２４０の回転に伴い撞木５２０が揺動して発音体５１０が叩かれる構成となっている。枢支部５２３、槓杆部５２４、及び付勢手段５２５は、第１補助地板４３０と第２補助地板４４０との間に設けられている。
【００２０】
本例では、針合せカナ２４０の周期、すなわち偏心カム２４３の周期は１時間である。撞木５２０は１時間に１回、所定のタイミングで発音体５１０を叩く。撞木５２０が所定の停止位置に在る状態（図５参照）から偏心カム２４３が回転すると、偏心カム２４３が槓杆部５２４に突き当たり、更に板ばね５２５ａを弾性変形しつつ偏心カム２４３が回転し、撞木５２０が偏心カム２４３によって付勢手段５２５の付勢方向とは反対の方向に押された状態（図６参照）となる。その状態からある程度偏心カム２４３が回転すると、槓杆部５２４が偏心カム２４３から外れると同時に板ばね５２５ａの弾性力にて撞木５２０が勢いよく押し戻されて、衝打部５２１が発音体５１０に衝突する。ここで時報が発生する。
【００２１】
時報を発生する手段たる発音体５１０及び撞木５２０を設けない場合は、第１補助地板４３０、第２補助地板４４０、及び偏心カム２４３を省略する。この場合、時計装置１は、指針１１０，１２０を駆動する基本構成のみからなるユニットとして利用することが可能である。すなわち、かかるユニットは、視覚的に優れたものであるとともに、時報を発生する手段を簡単に付加することができるという汎用性に優れたものとなっている。
【００２２】
以上説明したように、本例の時計装置は、時報を発生する手段がオプションとして合理的に設けられたものである。尚、本例における各部の構成は、特許請求の範囲に記載した技術的範囲において適宜に設計変更が可能であり、図例説明したものに限定されないことは勿論である。
【産業上の利用可能性】
【００２３】
本発明の時計装置は、装飾性に優れた置き時計として好適に利用することが可能である。
【符号の説明】
【００２４】
１    時計装置
１１０    時針
１２０    分針
２００    駆動機構
２１０    時針パイプ
２２０    分針パイプ
２３０    日ノ裏車
２４０    針合せカナ
２４１    回転軸部
２４２    摘み部材
２４３    偏心カム
３００    文字板
４１０    第１地板
４２０    第２地板
４３０    第１補助地板
４３１    孔部
４３２    座
４４０    第２補助地板
４４１    開放部
５１０    発音体
５２０    撞木
５２１    衝打部
５２２    棒体
５２３    枢支部
５２４    槓杆部
５２５    付勢手段
５２５ａ    板ばね
５２５ｂ  ボス
６００  台座
【図１】
2011179829.tif 000003
【図２】
2011179829.tif 000004
【図３】
2011179829.tif 000005
【図４】
2011179829.tif 000006
【図５】
2011179829.tif 000007
【図６】
2011179829.tif 000008